(57)【要約】【課題】燃圧センサを備えた燃料噴射弁において、燃圧センサのシール性を十分に向上できるようにした燃料噴射弁を提供する。【解決手段】噴孔へ高圧燃料を流通させる高圧通路を内部に形成する金属製のボデー４と、ボデー４に取り付けられて高圧燃料の圧力を検出する燃圧センサと、を備え、燃圧センサは、前記高圧燃料の圧力を受けて弾性変形する金属製のステム５１（起歪体）と、ステム５１にて生じた歪の大きさを電気信号に変換して圧力検出値として出力する歪ゲージ５２（センサ素子）と、を有して構成される。ボデー４は、ステム５１が押し付けられて密着することでステム５１との間をメタルタッチシールするボデー側シール面４５ｂを有する。そして、ボデー４に浸炭処理するにあたり、ボデー４のうちボデー側シール面４５ｂの部分は浸炭による硬化が為されないようにする。【選択図】      図３
2010242579.tif 000002
【特許請求の範囲】
【請求項１】
内燃機関に搭載されて噴孔から燃料を噴射する燃料噴射弁において、
前記噴孔へ高圧燃料を流通させる高圧通路を内部に形成する金属製のボデーと、
前記ボデーに取り付けられて前記高圧燃料の圧力を検出する燃圧センサと、
を備え、
前記燃圧センサは、前記高圧燃料の圧力を受けて弾性変形する金属製の起歪体と、前記起歪体にて生じた歪の大きさを電気信号に変換して圧力検出値として出力するセンサ素子と、を有して構成され、
前記ボデーは、前記起歪体が押し付けられて密着することで前記起歪体との間をメタルタッチシールするボデー側シール面を有しており、
前記ボデーには、少なくとも前記ボデー側シール面を除き、その全面に浸炭処理が施されていることを特徴とする燃料噴射弁。
【請求項２】
前記ボデーには、前記起歪体が挿入配置される凹部が形成されており、
前記凹部の内面には、前記起歪体と螺子締結されるボデー側螺子部及び前記ボデー側シール面が形成され、
前記ボデーには、前記ボデー側シール面及び前記ボデー側螺子部を除き、浸炭処理が施されていることを特徴とする請求項１に記載の燃料噴射弁。
【請求項３】
前記起歪体は、前記高圧燃料を内部に流入させる流入口が形成された有底円筒形状に形成され、
前記起歪体の円筒底部は、円筒部よりも薄肉に形成され、前記センサ素子が取り付けられるダイヤフラム部として機能することを特徴とする請求項１又は２に記載の燃料噴射弁。
【請求項４】
前記起歪体のうち前記流入口周りに位置する円筒端部には、前記ボデー側シール面と密着するセンサ側シール面が形成されていることを特徴とする請求項３に記載の燃料噴射弁。
【請求項５】
前記起歪体のうち円筒部の外周面には、前記ボデーと螺子締結されるセンサ側螺子部が形成されていることを特徴とする請求項３又は４に記載の燃料噴射弁。
【請求項６】
前記ボデーには、前記高圧通路から分岐する分岐通路が形成されており、
前記燃圧センサは、前記分岐通路内の高圧燃料の圧力を検出するよう配置されていることを特徴とする請求項１〜５のいずれか１つに記載の燃料噴射弁。
【請求項７】
噴孔へ高圧燃料を流通させる高圧通路を内部に形成する金属製のボデーと、前記ボデーに取り付けられて前記高圧燃料の圧力を検出する燃圧センサと、を備え、
前記燃圧センサは、前記高圧燃料の圧力を受けて弾性変形する金属製の起歪体と、前記起歪体にて生じた歪の大きさを電気信号に変換して圧力検出値として出力するセンサ素子と、を有して構成され、
前記ボデーのボデー側シール面に前記起歪体を押し付けて密着させることで、前記ボデーと前記起歪体とをメタルタッチシールする燃料噴射弁の製造方法において、
前記ボデー側シール面を前記ボデーに形成するシール面形成工程と、
前記ボデーのうち少なくとも前記ボデー側シール面をマスキングするマスク工程と、
前記マスキングが為された状態で前記ボデーを浸炭処理する表面硬化処理工程と、
前記ボデー側シール面に前記起歪体を押し付けて密着させるよう、前記燃圧センサを前記ボデーに取り付けるセンサ取付工程と、
を含むことを特徴とする燃料噴射弁の製造方法。
【請求項８】
噴孔へ高圧燃料を流通させる高圧通路を内部に形成する金属製のボデーと、前記ボデーに取り付けられて前記高圧燃料の圧力を検出する燃圧センサと、を備え、
前記燃圧センサは、前記高圧燃料の圧力を受けて弾性変形する金属製の起歪体と、前記起歪体にて生じた歪の大きさを電気信号に変換して圧力検出値として出力するセンサ素子と、を有して構成され、
前記ボデーのボデー側シール面に前記起歪体を押し付けて密着させることで、前記ボデーと前記起歪体とをメタルタッチシールする燃料噴射弁の製造方法において、
前記ボデーに前記ボデー側シール面を形成する前に、前記ボデーを浸炭処理する表面硬化処理工程と、
前記ボデーのうち前記ボデー側シール面の前記浸炭処理により形成された表面硬化層を除去する除去工程と、
前記ボデーのうち前記表面硬化層が除去された部分に前記ボデー側シール面を形成するシール面形成工程と、
前記ボデー側シール面に前記起歪体を押し付けて密着させるよう、前記燃圧センサを前記ボデーに取り付けるセンサ取付工程と、
を含むことを特徴とする燃料噴射弁の製造方法。
【発明の詳細な説明】
【技術分野】
【０００１】
本発明は、内燃機関に搭載され、燃焼に供する燃料を噴孔から噴射する燃料噴射弁に関する。
【背景技術】
【０００２】
内燃機関の出力トルク及びエミッション状態を精度良く制御するには、燃料噴射弁から噴射される燃料の噴射開始時期及び噴射量等、その噴射状態を精度良く制御することが重要である。そこで従来より、噴射に伴い変動する燃料の圧力を検出することで、実際の噴射状態を検出する技術が提案されている。例えば、噴射開始に伴い燃圧が下降を開始した時期を検出することで実際の噴射開始時期を検出したり、噴射終了に伴い燃圧の上昇が停止した時期を検出することで実際の噴射終了時期を検出したりしている（特許文献１参照）。
【０００３】
このような燃圧の変動を検出するにあたり、コモンレール（蓄圧容器）に直接設置された燃圧センサ（レール圧センサ）では、噴射に伴い生じた燃圧変動がコモンレール内で緩衝されてしまうため、正確な燃圧変動を検出することができない。そこで特許文献１記載の発明では、燃圧センサを燃料噴射弁に搭載することで、噴射に伴い生じた燃圧変動がコモンレール内で緩衝する前に、その燃圧変動を検出することを図っている。
【先行技術文献】
【特許文献】
【０００４】
【特許文献１】特開２００８−１４４７４９号公報
【発明の概要】
【発明が解決しようとする課題】
【０００５】
上記燃料噴射弁は、噴孔へ高圧燃料を流通させる高圧通路が内部に形成されたボデーに、噴孔を開閉させるニードル、及びニードルを駆動させるアクチュエータ等を収容して構成されるのが一般的である。
【０００６】
そして本発明者らは、次のように構成した燃圧センサを上記ボデーに取り付けることを検討した。すなわち、上記ボデーに取り付けられて燃料圧力を受けて弾性変形する起歪体と、起歪体にて生じた歪の大きさを電気信号に変換して圧力検出値として出力するセンサ素子とから燃圧センサを構成する。
【０００７】
また、ボデーと起歪体との接合面から高圧燃料が漏れ出ることのないよう、起歪体及びボデーの双方にシール面を形成し、両シール面を押し付けて密着させることでメタルタッチシールすることを本発明者らは検討した。特に近年のディーゼルエンジンでは燃料の高圧化（例えば約２００ＭＰａ）が促進されているので、ボデーと起歪体との間にガスケットを介在させてシールする場合に比べて、メタルタッチシールによれば高圧の燃料を容易にシールでき、好適である。
【０００８】
ここで、ボデー及び起歪体のいずれか一方のシール面を塑性変形させながら密着させれば、メタルタッチシールのシール性を向上できる。しかしながら、ボデーには、高圧通路での集中応力に耐えるために浸炭処理して高硬度とすることが要求されている。また、起歪体には、弾性変形させるよう薄肉に形成することが要求されるため、高圧燃料に耐えうる強度を確保すべく高硬度の材質を選定せざるを得ない。つまり、ボデー及び起歪体の双方とも高硬度であることが要求される。すると、高硬度同士の部材をメタルタッチシールさせようとしても、上記塑性変形が不十分となり、シール性を十分に向上できない。
【０００９】
本発明は、上記課題を解決するためになされたものであり、その目的は、燃圧センサを備えた燃料噴射弁において、燃圧センサのシール性を十分に向上できるようにした燃料噴射弁、及び燃料噴射弁の製造方法を提供することにある。
【課題を解決するための手段】
【００１０】
以下、上記課題を解決するための手段、及びその作用効果について記載する。
【００１１】
請求項１記載の発明は、噴孔へ高圧燃料を流通させる高圧通路を内部に形成する金属製のボデーと、前記ボデーに取り付けられて前記高圧燃料の圧力を検出する燃圧センサと、を備え、前記燃圧センサは、前記高圧燃料の圧力を受けて弾性変形する金属製の起歪体と、前記起歪体にて生じた歪の大きさを電気信号に変換して圧力検出値として出力するセンサ素子と、を有して構成され、前記ボデーは、前記起歪体が押し付けられて密着することで前記起歪体との間をメタルタッチシールするボデー側シール面を有しており、前記ボデーには、少なくとも前記ボデー側シール面を除き、その全面に浸炭処理が施されていることを特徴とする。
【００１２】
これによれば、浸炭処理によりボデーを高硬度化させるにあたり、ボデー側シール面の部分については浸炭処理が施されないので（防炭するので）、ボデー側シール面に起歪体を押し付けてメタルタッチシールするにあたり、ボデー側シール面については、塑性変形を確実に促進できる。よって、起歪体及びボデーの高圧燃料に耐えうる部材としての強度を確保しつつ、両部材を接触させるメタルタッチシールを図るシール面でのシール性を確実に向上されることができる。
【００１３】
請求項２記載の発明では、前記ボデーには、前記起歪体が挿入配置される凹部が形成されており、前記凹部の内面には、前記起歪体と螺子締結されるボデー側螺子部及び前記ボデー側シール面が形成され、前記ボデーには、前記ボデー側シール面及び前記ボデー側螺子部を除き、浸炭処理が施されていることを特徴とする。
【００１４】
ところで、金属部材のうち浸炭処理された部分は、金属部材の組織中に水素が集まることにより脆化することが知られている。そして、このような脆化が螺子部に生じると、螺子部は応力集中しやすい形状であるため、弾性限界内でしかも静的な負荷応力の条件下であるにも拘わらず、破壊（遅れ破壊）が生じることが懸念される。
【００１５】
この点を鑑みた上記発明によれば、ボデー側螺子部の部分については浸炭処理が施されないので（防炭するので）、上記遅れ破壊の懸念を解消できる。しかも、凹部を防炭することで、ボデー側シール面に対する防炭作業とボデー側螺子部に対する防炭作業とを同じにできるので、別々に防炭作業する場合に比べてその作業性を向上できる。
【００１６】
請求項３記載の発明では、前記起歪体は、前記高圧燃料を内部に流入させる流入口が形成された有底円筒形状に形成され、前記起歪体の円筒底部は、円筒部よりも薄肉に形成され、前記センサ素子が取り付けられるダイヤフラム部として機能する。
【００１７】
このように、薄肉のダイヤフラム部が形成されている起歪体においては、ダイヤフラム部が高圧燃料に耐えうるよう高硬度の材質を選定するニーズが高い。そのため、メタルタッチシールするにあたり起歪体を十分に塑性変形させることができないので、このような起歪体に上記請求項１又は２記載の発明を適用させれば、防炭によりシール性を向上させるといった上記効果が好適に発揮される。
【００１８】
請求項４記載の発明では、前記起歪体のうち前記流入口周りに位置する円筒端部には、前記ボデー側シール面と密着するセンサ側シール面が形成されていることを特徴とする。これによれば、流入口を形成する円筒端部がセンサ側シール面として利用されるので、起歪体の小型化を図ることができる。
【００１９】
請求項５記載の発明では、前記起歪体のうち円筒部の外周面には、前記ボデーと螺子締結されるセンサ側螺子部が形成されていることを特徴とする。これによれば、流入口からダイヤフラム部まで高圧燃料を導くための円筒部が、センサ側螺子部を形成する部分として利用されるので、起歪体の小型化を図ることができる。
【００２０】
請求項６記載の発明では、前記ボデーには、前記高圧通路から分岐する分岐通路が形成されており、前記燃圧センサは、前記分岐通路内の高圧燃料の圧力を検出するよう配置されていることを特徴とする。
【００２１】
このように、分岐通路が形成されたボデーにおいては、分岐部分に応力が集中しやすいので、分岐部分が高圧燃料に耐えうるようボデーを高硬度化させるニーズが高い。このようなボデーに上記請求項１〜５のいずれか１つに記載の発明を適用させれば、防炭によりシール性を向上させるといった上記効果が好適に発揮される。
【００２２】
請求項７記載の発明は、上述の如く前記ボデーと前記起歪体とをメタルタッチシールする燃料噴射弁の製造方法において、前記ボデー側シール面を前記ボデーに形成するシール面形成工程と、前記ボデーのうち少なくとも前記ボデー側シール面をマスキングするマスク工程と、前記マスキングが為された状態で前記ボデーを浸炭処理する表面硬化処理工程と、前記ボデー側シール面に前記起歪体を押し付けて密着させるよう、前記燃圧センサを前記ボデーに取り付けるセンサ取付工程と、を含むことを特徴とする。
【００２３】
要するに、ボデー側シール面をボデーに形成した後に、ボデー側シール面をマスキングした状態でボデーを浸炭処理する。これによれば、ボデー側シール面を防炭することを容易に実現できる。
【００２４】
請求項８記載の発明は、上述の如く前記ボデーと前記起歪体とをメタルタッチシールする燃料噴射弁の製造方法において、前記ボデーに前記ボデー側シール面を形成する前に、前記ボデーを浸炭処理する表面硬化処理工程と、前記ボデーのうち前記ボデー側シール面の前記浸炭処理により形成された表面硬化層を除去する除去工程と、前記ボデーのうち前記表面硬化層が除去された部分に前記ボデー側シール面を形成するシール面形成工程と、前記ボデー側シール面に前記起歪体を押し付けて密着させるよう、前記燃圧センサを前記ボデーに取り付けるセンサ取付工程と、を含むことを特徴とする。
【００２５】
要するに、ボデー側シール面をボデーに形成する前にボデーを浸炭処理し、その後、ボデー側シール面に該当する部分であって浸炭処理により形成された表面硬化層を除去し、その後、除去された部分にボデー側シール面を形成する。これによれば、ボデー側シール面を防炭することを容易に実現できる。
【図面の簡単な説明】
【００２６】
【図１】本発明の第１実施形態に係るインジェクタの、概略内部構成を示す模式的な断面図。
【図２】燃圧センサのインジェクタへの組み付け構造を示す、図１の拡大図。
【図３】第１実施形態において、インジェクタボデーにセンサアッシーを組み付けた状態を示す図。
【図４】第１実施形態において、インジェクタボデーのうち浸炭処理により硬化された範囲を示す図。
【図５】本発明の第２実施形態において、インジェクタボデーの製造工程を説明する図。
【発明を実施するための形態】
【００２７】
以下、本発明を具体化した各実施形態を図面に基づいて説明する。なお、以下の各実施形態相互において、互いに同一もしくは均等である部分には、図中、同一符号を付しており、同一符号の部分についてはその説明を援用する。
【００２８】
（第１実施形態）
本発明の第１実施形態について図１〜図４を用いて説明する。図１は本実施形態に係るインジェクタ（燃料噴射弁）の概略内部構成を示す模式的な断面図であり、先ずこの図１に基づいて、インジェクタの基本的な構成、作動について説明する。
【００２９】
インジェクタは、図示しないコモンレール（蓄圧容器）内に蓄えられた高圧燃料を、ディーゼル内燃機関の気筒内に形成された燃焼室Ｅ１に噴射するものであり、開弁時に燃料を噴射するノズル１、電力供給されて駆動する電動アクチュエータ２（駆動手段）、電動アクチュエータ２により駆動されてノズル１の背圧を制御する背圧制御機構３を備えている。
【００３０】
ノズル１は、噴孔１１が形成されたノズルボデー１２、ノズルボデー１２の弁座に接離して噴孔１１を開閉するニードル１３、ニードル１３を閉弁向きに付勢するスプリング１４を備えている。
【００３１】
電動アクチュエータ２には、ピエゾ素子を多数積層してなる積層体（ピエゾスタック）により構成されたピエゾアクチュエータが採用されており、ピエゾ素子への充電と放電とを切り替えることで伸長状態と縮小状態とが切り替えられる。これにより、ピエゾスタックはニードル１３を作動させるアクチュエータとして機能する。なお、ピエゾアクチュエータに替えて、ステータ及びアーマチャにより構成された電磁アクチュエータを採用してもよい。
【００３２】
背圧制御機構３のバルブボデー３１内には、ピエゾアクチュエータ２の伸縮に追従して移動するピストン３２、ピストン３２をピエゾアクチュエータ２側に向かって付勢する皿ばね３３、ピストン３２に駆動される球状の弁体３４が収納されている。
【００３３】
略円筒状のインジェクタボデー４は、その径方向中心部に、インジェクタ軸線方向（図１の上下方向）に延びる段付き円柱状の収納孔４１が形成されており、この収納孔４１にピエゾアクチュエータ２及び背圧制御機構３が収納されている。また、略円筒状のリテーナ５をインジェクタボデー４に螺合させることにより、インジェクタボデー４の端部にノズル１が保持されている。
【００３４】
ノズルボデー１２、インジェクタボデー４、及びバルブボデー３１には、コモンレールから常に高圧燃料が供給される高圧通路６、及び図示しない燃料タンクに接続される低圧通路７が形成されている。また、これらのボデー１２，４，３１は金属製であり、焼入れ処理を施すことで高強度化されており、かつ、浸炭処理を施すことで表面が高硬度化されている。
【００３５】
これらのボデー１２，４，３１は、内燃機関のシリンダヘッドＥ２に形成された挿入穴Ｅ３に挿入配置されている。インジェクタボデー４にはクランプＫの一端と係合する係合部４２が形成されており、クランプＫの他端をシリンダヘッドＥ２にボルトで締め付けることにより、クランプＫの一端が係合部４２を挿入穴Ｅ３に向けて押し付けることとなる。これにより、インジェクタは挿入穴Ｅ３内に押し付けられた状態で固定される。
【００３６】
ニードル１３における噴孔１１側の外周面とノズルボデー１２の内周面との間には、高圧通路６の一部となる高圧室１５が形成されている。この高圧室１５は、ニードル１３が開弁方向に変位した際に噴孔１１と連通する。ニードル１３における反噴孔側には背圧室１６が形成されている。この背圧室１６には前述したスプリング１４が配置されている。
【００３７】
バルブボデー３１には、バルブボデー３１内の高圧通路６とノズル１の背圧室１６とを連通させる経路中に高圧シート面３５が形成され、バルブボデー３１内の低圧通路７とノズル１の背圧室１６とを連通させる経路中に低圧シート面３６が形成されている。そして、高圧シート面３５と低圧シート面３６との間に前述した弁体３４が配置されている。
【００３８】
インジェクタボデー４には、図示しない高圧配管と接続される高圧ポート４３（高圧配管接続部）、及び図示しない低圧配管と接続される低圧ポート４４（低圧配管接続部）が形成されている。そして、コモンレールから高圧配管を通じて高圧ポート４３に供給される燃料は、円筒状インジェクタボデー４の外周面側から供給される。インジェクタに供給された燃料は、高圧通路６を通じて高圧室１５及び背圧室１６へ流入する。
【００３９】
高圧通路６には、インジェクタボデー４の反噴孔側に分岐する分岐通路６ａが形成されている。この分岐通路６ａにより、高圧通路６内の燃料は後述する燃圧センサ５０に導入される。
【００４０】
インジェクタボデー４の反噴孔側上部にはコネクタ６０が取り付けられている。コネクタ６０の端子（駆動用コネクタ端子６２）に外部から供給された電力は、リード線２１を介してピエゾアクチュエータ２に供給され、これによりピエゾアクチュエータ２は伸長し、電力供給を停止すると縮小する。
【００４１】
上記構成において、ピエゾアクチュエータ２が縮小した状態では、図１に示すように弁体３４が低圧シート面３６に接して背圧室１６は高圧通路６と接続され、背圧室１６には高圧の燃料圧が導入される。そして、この背圧室１６内の燃料圧とスプリング１４とによってニードル１３が閉弁向きに付勢されて噴孔１１が閉じられている。
【００４２】
一方、ピエゾアクチュエータ２に電圧が印加されてピエゾアクチュエータ２が伸長した状態では、弁体３４が高圧シート面３５に接して背圧室１６は低圧通路７と接続され、背圧室１６内は低圧になる。そして、高圧室１５内の燃料圧によってニードル１３が開弁向きに付勢されて噴孔１１が開かれ、この噴孔１１から燃焼室Ｅ１へ燃料が噴射される。
【００４３】
ここで、噴孔１１からの燃料噴射に伴い高圧通路６内の高圧燃料の圧力は変動する。この圧力変動を検出する燃圧センサ５０が、インジェクタボデー４に取り付けられている。燃圧センサ５０により検出された圧力変動波形中において、噴孔１１からの噴射開始に伴い燃圧が下降を開始した時期を検出することで、実際の噴射開始時期を検出することができる。また、噴射終了に伴い燃圧が上昇を開始した時期を検出することで、実際の噴射終了時期を検出することができる。また、これらの噴射開始時期及び噴射終了時期に加え、噴射に伴い生じた燃圧下降量の最大値を検出することで、噴射量を検出することができる。
【００４４】
次に、燃圧センサ５０の単体構造、及び燃圧センサ５０のインジェクタボデー４への取付構造について、図２を用いて説明する。
【００４５】
燃圧センサ５０は、分岐通路６ａ内の高圧燃料の圧力を受けて弾性変形するステム５１（起歪体）と、ステム５１にて生じた歪の大きさを電気信号に変換して圧力検出値として出力する歪ゲージ（センサ素子）５２と、を備えて構成されている。
【００４６】
ステム５１は、高圧燃料を内部に導入する流入口５１ａが一端に形成された円筒形状の円筒部５１ｂと、円筒部５１ｂの他端を閉塞する円板形状のダイヤフラム部５１ｃとを備えて構成されている。流入口５１ａから円筒部５１ｂ内に流入した高圧燃料の圧力を、円筒部５１ｂの内面及びダイヤフラム部５１ｃで受け、これによりステム５１全体が弾性変形することとなる。
【００４７】
ステム５１は金属製であり、その金属材料には、超高圧を受けることから高強度、高硬度であること、及び、熱膨張による変形が少なく歪ゲージ５２への影響が少ない（つまり低熱膨張係数である）こと、が求められ、具体的には、Ｆｅ，Ｎｉ，ＣｏまたはＦｅ，Ｎｉを主体とし、析出強化材料としてＴｉ，Ｎｂ，Ａｌ又はＴｉ，Ｎｂが加えられた材料を選定し、プレス、切削や冷間鍛造等により形成できる。また、Ｃ，Ｓｉ，Ｍｎ，Ｐ，Ｓ等が加えられた材料を選定してもよい。
【００４８】
円筒状インジェクタボデー４のうち反噴孔側の端面には、ステム５１の円筒部５１ｂが挿入される凹部４５が形成されている。凹部４５の内周面には雌螺子部４５ａ（ボデー側螺子部）が形成され、円筒部５１ｂの外周面には雄螺子部５１ｄ（センサ側螺子部）が形成されている。そして、インジェクタボデー４の雌螺子部４５ａにステム５１の雄螺子部５１ｄを螺子締結することで、燃圧センサ５０はインジェクタボデー４に取り付けられる。
【００４９】
円筒部５１ｂのうち流入口５１ａ周りに位置する円筒端面にはセンサ側シール面５１ｅが形成され、凹部４５の底面にはボデー側シール面４５ｂが形成されている。両シール面５１ｅ，４５ｂは、ステム５１の軸方向（図２の上下方向）に対して垂直に拡がる向きの面であり、流入口５１ａ周りに円環状に延びる形状である。
【００５０】
そして、センサ側シール面５１ｅをボデー側シール面４５ｂに押し付けて密着させることで、インジェクタボデー４とステム５１との間をメタルタッチシールするよう構成されている。両シール面５１ｅ，４５ｂを押し付ける力（軸力）は、インジェクタボデー４へのステム５１の螺子締結により生じている。つまり、インジェクタボデー４へのステム５１の取り付けと軸力発生とを同時に行う。
【００５１】
歪ゲージ５２は、ダイヤフラム部５１ｃに取り付けられている。より詳細には、歪ゲージ５２は、ダイヤフラム部５１ｃ上に配置された状態でガラス部材５２ｂにより封止（焼付け）して固定されている。したがって、円筒部５１ｂ内に流入した高圧燃料の圧力によりステム５１が拡大するよう弾性変形した時、ダイヤフラム部５１ｃに生じた歪の大きさ（弾性変形量）を歪ゲージ５２が検出することとなる。
【００５２】
ステム５１には、円板形状の金属製プレート５３が取り付けられており、このプレート５３上には、後に詳述するモールドＩＣ５４が固定支持されている。
【００５３】
モールドＩＣ５４は、ワイヤボンドＷにより歪ゲージ５２と電気接続されており、電子部品５４ａ及びセンサ端子５４ｂを、モールド樹脂５４ｍで封止して構成されている。電子部品５４ａは、歪ゲージ５２から出力される検出信号を増幅する増幅回路や、検出信号に重畳するノイズを除去するフィルタリング回路、歪ゲージ５２に電圧印加する回路等を構成する。
【００５４】
なお、電圧印加回路から電圧印加された歪ゲージ５２は、ダイヤフラム部５１ｃにて生じた歪の大きさに応じて抵抗値が変化するブリッジ回路を構成している。これにより、ダイヤフラム部５１ｃの歪に応じてブリッジ回路の出力電圧が変化し、当該出力電圧が高圧燃料の圧力検出値としてモールドＩＣ５４の増幅回路に出力される。増幅回路は、歪ゲージ５２（ブリッジ回路）から出力される圧力検出値を増幅し、増幅した信号をセンサ端子５４ｂから出力する。
【００５５】
モールド樹脂５４ｍは、ステム５１の円筒部５１ｂの外周面に沿って環状に延びる円筒形状に形成されている。モールド樹脂５４ｍの外周面からは複数のセンサ端子５４ｂが延出している。これらのセンサ端子５４ｂは、モールドＩＣ５４内部にて電子部品５４ａと電気接続されており、燃圧センサの検出信号を出力する端子、電源を供給する端子、接地用端子等として機能するものである。
【００５６】
プレート５３の外周端部にはケース５６が取り付けられている。そして、ケース５６及びプレート５３の内部に、ステム５１の円筒部５１ｂのうち雄螺子部５１ｄを除く部分、歪ゲージ５２、及びモールドＩＣ５４が収容されている。これにより、金属製のケース５６及びプレート５３が外部ノイズを遮断して、歪ゲージ５２及びモールドＩＣ５４を保護する。なお、ケース５６の外周面には開口部５６ａが形成されており、センサ端子５４ｂは開口部５６ａを通じてケース５６の内部から外部へと延出している。
【００５７】
先述したコネクタ６０のハウジング６１には、駆動用コネクタ端子６２とともにセンサ用コネクタ端子６３が保持されている。センサ用コネクタ端子６３とセンサ端子５４ｂとは、後述する電極７１，７２，７３を介してレーザ溶接等により電気接続される。コネクタ６０には、図示しないエンジンＥＣＵ等の外部機器と接続する外部ハーネスのコネクタが接続される。これにより、外部ハーネスを介して、モールドＩＣ５４から出力される圧力検出信号がエンジンＥＣＵに入力される。
【００５８】
ここで、ステム５１を回転させてステム５１をインジェクタボデー４へ螺子締結するにあたり、この螺子締結が完了した時点において、ステム５１の回転位置は特定の位置に定まらない。このことは、モールドＩＣのセンサ端子５４ｂ〜５４ｅも、ステム５１の螺子締結完了時点においてその回転位置が不特定となることを意味する。
【００５９】
そこで、センサ端子５４ｂの各々に接続されてステム５１とともに回転する電極７２，７３の各々には、ステム５１の回転中心周りに円環状に延びる形状の、円環状接続部７２ａ，７３ａが形成されている。円環状接続部７２ａ，７３ａは、ステム５１の螺子締結が完了した後に、複数のコネクタ端子６３の各々と電気接続される。これにより、回転位置が不特定となるセンサ端子５４ｂと、インジェクタボデー４の所定位置に配置されたコネクタ端子６３とを、容易に電気接続できる。
【００６０】
なお、電極７１のうちコネクタ端子６３と電気接続される接続部７１ａは、ステム５１の回転中心に位置するため、ステム５１の回転位置に拘わらず接続部７１ａの回転位置は特定される。また、複数の電極７１〜７３はモールド樹脂７０ｍによりモールドされて一体化されており、このようにモールドされた状態でケース５６の上面に載せられている。また、コネクタ端子６３には接続部７１ａ，７２ａ，７３ａに向けて突出する溶接部６３ａが形成されており、レーザ溶接する際のレーザエネルギを溶接部６３ａに集中させる。
【００６１】
次に、燃圧センサ５０等のインジェクタボデー４への取り付け手順、及びインジェクタボデー４の製造方法について、図３を用いて説明する。
【００６２】
先ず、図３に示すセンサアッシーＡｓを組み立てる。具体的には、歪ゲージ５２が張り付けられたステム５１にプレート５３を組み付け、その後、モールドＩＣ５４をプレート５３に固定する。その後、ボンディングマシンを用いてモールドＩＣ５４と歪ゲージ５２とをワイヤボンドＷで接続する。その後、ケース５６をプレート５３に取り付ける。また、モールド樹脂７０ｍで複数の電極７１〜７３をモールド成形し、このモールド成形体をケース５６上面の所定位置に配置し、電極７１〜７３とセンサ端子５４ｂとをレーザ溶接等により電気接続する。以上により、センサアッシーＡｓの組み立てが完了する。
【００６３】
その後、センサアッシーＡｓをインジェクタボデー４に取り付ける。具体的には、ステム５１の雄螺子部５１ｄを、インジェクタボデー４の凹部４５に形成された雌螺子部４５ａに締結させる。次に、駆動用コネクタ端子６２とリード線２１とを電気接続するとともに、センサ用コネクタ端子６３と電極７１〜７３とをレーザ溶接等により電気接続する。
【００６４】
その後、コネクタ端子６２，６３及びセンサアッシーＡｓを、インジェクタボデー４に取り付けた状態のままモールド樹脂でモールド成形する。このモールド樹脂は、先述したコネクタハウジング６１となる。以上により、燃圧センサ５０等のインジェクタボデー４への取り付け、及び内部電気接続が完了する。
【００６５】
次に、本実施形態の要部であるインジェクタボデー４の製造方法について、図４を用いて説明する。
【００６６】
先ず、インジェクタボデー４にドリル加工をすることで、高圧通路６、低圧通路７、収納孔４１、分岐通路６ａ、凹部４５、リード線２１を配置する貫通穴２１ａ等を形成する。そして、凹部４５の内周面に、刃具を用いて雌螺子部４５ａを形成する。また、凹部４５の底面を研磨することでボデー側シール面４５ｂを形成する（シール面形成工程）。
【００６７】
その後、インジェクタボデー４を浸炭焼入れ処理するに先立って、インジェクタボデー４のうちボデー側シール面４５ｂ及び雌螺子部４５ａの部分を、浸炭により高硬度化されないよう防炭すべくマスキングする（マスク工程）。具体的には、ボデー４内への炭素の浸入を防ぐペースト剤を、ボデー側シール面４５ｂ及び雌螺子部４５ａに塗布する。或いは、ステム５１とは別の図示しないキャップ部材を雌螺子部４５ａに螺子締結することで、キャップ部材により凹部４５を閉塞しておく。
【００６８】
その後、マスキングされた状態のインジェクタボデー４を熱処理用の炉に入れて、浸炭焼入れ処理する（表面硬化処理工程）。これにより、インジェクタボデー４の表面のうちマスキングされていない部分（図４中の網点を付した部分）は、浸炭処理が施されて高硬度化される。一方、ボデー側シール面４５ｂ及び雌螺子部４５ａについては浸炭処理が施されないので（防炭するので）、高硬度化されていない状態となる。なお、加熱用の炉に入れて焼入れ処理する工程と、浸炭用の炉に入れて浸炭処理する工程とを別々に実施してもよいし、加熱と浸炭を同時に行う炉に入れて焼入れ処理及び浸炭処理を同時に実施するようにしてもよい。
【００６９】
その後、以上のように製造されたインジェクタボデー４に、センサアッシーＡｓを構成するステム５１を螺子締結することで、センサ側シール面５１ｅをボデー側シール面４５ｂに押し付けてメタルタッチシールさせる（センサ取付工程）。
【００７０】
以上詳述した本実施形態によれば、以下の効果が得られるようになる。
【００７１】
（１）浸炭処理によりインジェクタボデー４を高硬度化させるにあたり、ボデー側シール面４５ｂの部分を防炭するので、ボデー側シール面４５ｂにセンサ側シール面５１ｅを押し付けてメタルタッチシールするにあたり、ボデー側シール面４５ｂについては、塑性変形を確実に促進できる。よって、インジェクタボデー４及びステム５１の高圧燃料に耐えうる部材としての強度を確保しつつ、両部材４，５１をメタルタッチシールさせる両シール面４５ｂ，５１ｅの密着性を向上でき、ボデー４の高硬度化を図りつつそのシール性を向上できる。要するに、両部材４，５１の強度確保とシール性向上の両立を図ることができる。
【００７２】
なお、螺子締結力を増大してボデー側シール面４５ｂへのステム５１の押付力（軸力）を高くしたり、両シール面４５ｂ，５１ｅの加工精度を高くしたりすることでシール性向上を図ろうとすると、加工コストのアップを招く。これに対し本実施形態によれば、軸力増大や加工精度向上を図ることなくメタルタッチシールのシール性を向上できる。
【００７３】
（２）浸炭処理によりインジェクタボデー４を高硬度化させるにあたり、雌螺子部４５ａの部分も防炭するので、雌螺子部４５ａにて遅れ破壊が生じるおそれを抑制できる。そして、凹部４５の全体をマスキングすることで、ボデー側シール面４５ｂに対するマスキング作業と雌螺子部４５ａに対するマスキング作業とを同じにできるので、別々にマスキング作業する場合に比べてその作業性を向上できる。
【００７４】
（３）薄肉のダイヤフラム部５１ｃが形成されているステム５１においては、ダイヤフラム部５１ｃが高圧燃料に耐えうるよう高硬度の材質を選定するニーズが高い。そのため、メタルタッチシールするにあたりステム５１を十分に塑性変形させることができないので、このようなステム５１が採用される場合においてインジェクタボデー４に上記防炭を行えば、シール面加工の高精度化や軸力増大を図ることなくシール性を向上できるといった上記効果が好適に発揮される。
【００７５】
（４）ステム５１のうち流入口５１ａ周りに位置する円筒端部にセンサ側シール面５１ｅを形成する。つまり、流入口５１ａを形成する円筒端部がセンサ側シール面５１ｅとして利用されるので、ステム５１の小型化を図ることができる。
【００７６】
（５）ステム５１のうち円筒部５１ｂの外周面に雄螺子部５１ｄを形成する。つまり、流入口５１ａからダイヤフラム部５１ｃまで高圧燃料を導くための円筒部５１ｂが、雄螺子部５１ｄを形成する部分として利用されるので、ステム５１の小型化を図ることができる。
【００７７】
（６）インジェクタボデー４には、高圧通路６から分岐する分岐通路６ａが形成されており、ステム５１の流入口５１ａには分岐通路６ａ内の高圧燃料が流入するよう構成されている。このように、分岐通路６ａが形成されたインジェクタボデー４においては、分岐部分に応力が集中しやすいので、分岐部分が高圧燃料に耐えうるようインジェクタボデー４を高硬度化させるニーズが高い。このようなインジェクタボデー４が採用される場合において上記防炭を行えば、シール面加工の高精度化や軸力増大を図ることなくシール性を向上できるといった上記効果が好適に発揮される。
【００７８】
（７）ステム５１はボデー４と別体に構成されているので、熱膨張収縮により生じるボデー４の内部応力がステム５１に伝播される際に、その伝搬ロスを大きくできる。つまり、ステム５１をボデー４とは別体に構成することで、ボデー４の歪によるステム５１への影響が小さくなる。よって、ボデー４とは別体に構成されたステム５１に歪ゲージ５２（センサ素子）を取り付けた本実施形態によれば、歪ゲージ５２をボデー４に直接取り付けた場合に比べて、ボデー４に生じる歪の影響を歪ゲージ５２が受けることを抑制できる。したがって、燃圧検出の精度低下を回避しつつ燃圧センサ５０をインジェクタに搭載することができる。
【００７９】
（８）ステム５１の材質に、ボデー４に比べて熱膨張係数が小さい材質を採用するので、ステム５１自体が熱膨張収縮して歪みが生じてしまうことを抑制できる。また、ボデー４全体を熱膨張係数が小さい材質にする場合に比べて、ステム５１のみを熱膨張係数が小さい材質にすればよいので、材料コストの低減を図ることができる。
【００８０】
（９）駆動用コネクタ端子６２及びセンサ用コネクタ端子６３を、同一のコネクタハウジング６１に保持させることで、両端子６２，６３を共通のコネクタ６０に構成している。そのため、コネクタの数を増やすことなくインジェクタに燃圧センサ５０を搭載することができ、エンジンＥＣＵ等の外部機器とコネクタとを接続するハーネスが、インジェクタボデー４に備えられた１つのコネクタ６０からまとめて延出することとなる。よって、ハーネスの取り回しを簡素にできる。また、コネクタ接続作業の手間が増えることを回避できる。
（１０）ステム５１、歪ゲージ５２及びモールドＩＣ５４を一体に組み付けてセンサアッシーＡｓを構成しており、ステム５１をインジェクタボデー４に取り付けることでセンサアッシーＡｓのインジェクタボデー４に取り付けを行うよう構成している。これによれば、センサアッシーＡｓをインジェクタボデー４に取り付ける前に、センサアッシーＡｓ単体で歪ゲージ５２やモールドＩＣ５４の動作チェックを行うことができる。このため、その段階で、歪ゲージ５２やモールドＩＣ５４に異常が生じているか否かを判別することができる。そして、正常と判断されたものをインジェクタボデー４に対して取り付けるようにできるため、インジェクタを完成させる前に、歪ゲージ５２やモールドＩＣ５４の異常が原因となるインジェクタの歩留まり低下を抑制できる。
【００８１】
（第２実施形態）
上記第１実施形態では、インジェクタボデー４を浸炭焼入れするに先立ち、ボデー側シール面４５ｂ及び雌螺子部４５ａにマスキングを施すことで、ボデー側シール面４５ｂ及び雌螺子部４５ａを防炭する。これに対し、本実施形態では、インジェクタボデー４の凹部４５にボデー側シール面４５ｂ及び雌螺子部４５ａを形成する前の状態で浸炭焼入れを実施し、その後、ボデー４のうちボデー側シール面４５ｂ及び雌螺子部４５ａに該当する部分を除去して、ボデー側シール面４５ｂ及び雌螺子部４５ａを形成する。
【００８２】
図５を用いてより詳細に説明すると、先ず、インジェクタボデー４にドリル加工をすることで、高圧通路６、低圧通路７、収納孔４１、分岐通路６ａ、貫通穴２１ａ等を形成する。また、図５（ａ）に示すように、凹部４５よりも径の小さい下穴４５０をドリル加工等により形成する。
【００８３】
その後、第１実施形態で要したマスキングを行うことなく、インジェクタボデー４を熱処理用の炉に入れて、浸炭焼入れ処理する（表面硬化処理工程）。図５（ａ）中の網点を付した部分は、浸炭処理が施されて高硬度化された部分（表面硬化層）を示す。その後、ボデー４のうちボデー側シール面４５ｂ及び雌螺子部４５ａに該当する部分（符号４５０ａ，４５０ｂに示す部分）を除去する。つまり、ドリル加工等により下穴４５０の内面を切削して凹部４５を形成する（除去工程）。
【００８４】
その後、凹部４５の内周面に、刃具を用いて雌螺子部４５ａを形成する。また、凹部４５の底面を研磨することでボデー側シール面４５ｂを形成する（シール面形成工程）。図５（ｂ）中の二点鎖線４５０ａは、下穴４５０の内面を示す。これにより、インジェクタボデー４の表面のうち除去工程にて除去されていない部分（図５（ｂ）中の網点を付した部分）は、浸炭処理が施されて高硬度化される。一方、ボデー側シール面４５ｂ及び雌螺子部４５ａについては、浸炭処理により表面硬化された部分が除去されているので（防炭するので）、高硬度化されていない状態となる。
【００８５】
その後、以上のように製造されたインジェクタボデー４に、センサアッシーＡｓを構成するステム５１を螺子締結することで、センサ側シール面５１ｅをボデー側シール面４５ｂに押し付けてメタルタッチシールさせる（センサ取付工程）。
【００８６】
以上により、本実施形態によっても上記第１実施形態と同様の効果が発揮される。なお、本実施形態によれば第１実施形態で要するマスキング工程を不要にできるが、その反面、上述した除去工程が必要となる。
【００８７】
（他の実施形態）
本発明は上記実施形態の記載内容に限定されず、以下のように変更して実施してもよい。また、各実施形態の特徴的構成をそれぞれ任意に組み合わせるようにしてもよい。
【００８８】
・上記各実施形態では、浸炭焼入れによりボデー４表面に炭素を拡散させて硬化させているが、炭素に加え窒素をも拡散させる浸炭窒化焼き入れを実施するようにしてもよい。
【００８９】
・上記各実施形態ではステム５１に螺子部５１ｄを形成しているが、例えばプレート５３やケース５６に螺子部を形成してもよい。また、図示しないリテーナをボデー４に螺子締結し、リテーナとボデー４との間にステム５１を挟持させることで、ボデー側シール面４５ｂへステム５１を押し付けるように構成してもよい。
【００９０】
・上記第１実施形態において、ステム５１を螺子締結することで、センサアッシーＡｓのインジェクタボデー４への組み付けと、両シール面５１ｅ，４５ｂの軸力発生とを同時に行うよう構成しているが、センサアッシーＡｓをインジェクタボデー４へ組み付けるための螺子部と、軸力発生のための螺子部とを別々に備えるよう構成してもよい。
【００９１】
・上記各実施形態では、ステム５１の歪量を検出するセンサ素子として歪ゲージ５２を採用しているが、圧電素子等、他のセンサ素子を採用してもよい。
【００９２】
・上記第１実施形態のシール面形成工程では、ボデー４の凹部４５の底面を研磨することでボデー側シール面４５ｂを形成しているが、防炭により塑性変形を促進させてシール性を向上させるので、前記研磨を廃止しても最低限のシール性を確保できる。つまり、防炭によりシール性を向上させる上記実施形態によれば、前記研磨を廃止して加工工数を低減できる場合がある。
【００９３】
・上記第１実施形態において、電極７２，７３のうちコネクタ端子６３との接続部７２ａ，７３ａを円環状に形成しているが、円弧状に形成してもよい。また、複数の円環状接続部７２ａ，７３ａを径方向に並べて配置しているが、軸方向に並べて配置してもよい。
【００９４】
・上記各実施形態では、インジェクタボデー４の外周面側に高圧ポート４３を形成し、外周面側から高圧燃料が供給されるよう構成されたインジェクタに本発明を適用させているが、インジェクタボデー４の軸方向において反噴孔側に高圧ポート４３を形成し、反噴孔側から高圧燃料が供給されるよう構成されたインジェクタに適用させてもよい。
【００９５】
・上記各実施形態では、ディーゼルエンジンのインジェクタに本発明を適用しているが、ガソリンエンジン、特に、燃焼室Ｅ１に燃料を直接噴射する直噴式のガソリンエンジンに本発明を適用してもよい。
【符号の説明】
【００９６】
４…インジェクタボデー（ボデー）、６…高圧通路、６ａ…分岐通路、４５…凹部、４５ａ…雌螺子部（ボデー側螺子部）、４５ｂ…ボデー側シール面、５０…燃圧センサ、５１…ステム（起歪体）、５１ａ…流入口、５１ｂ…円筒部、５１ｃ…ダイヤフラム部、５１ｄ…雄螺子部（センサ側螺子部）、５１ｅ…センサ側シール面、５２…歪ゲージ（センサ素子）。
【図１】
2010242579.tif 000003
【図２】
2010242579.tif 000004
【図３】
2010242579.tif 000005
【図４】
2010242579.tif 000006
【図５】
2010242579.tif 000007